(57)【要約】      （修正有）【課題】  機械的に文書の執筆者を特定する認証処理を行うことが可能な情報処理システムを提供する。【解決手段】  インターネット上に公開された特定の文書と文書、及び、特定の文書と記号を関連付ける方法において、Ｗｅｂｌｏｇの執筆者が記事を投稿する際に特定のＴｒａｃｋｂａｃｋＵＲＬにＴｒａｃｋｂａｃｋをするステップと、Ｔｒａｃｋｂａｃｋ  Ｐｉｎｇを受信するステップと、Ｔｒａｃｋｂａｃｋ  Ｐｉｎｇに含まれるＴｒａｃｋｂａｃｋ発信元の記事のＵＲＬに存在するリソースから、発信元の記事を管理する記事データベース・ファイルのＵＲＬを読み出すステップと、記事データベース・ファイルの内容とＴｒａｃｋｂａｃｋ  Ｐｉｎｇに含まれる情報が一致するか確認するステップと、インターネット上のリソースから得られた情報を、予め登録された利用者データベースと照合し、Ｔｒａｃｋｂａｃｋ発信者を利用者データベースに登録された情報の中で特定するステップとを経る。【選択図】  図２
2006040239.tif 000002
【特許請求の範囲】
【請求項１】
インターネット上に公開された特定の文書と文書、及び、特定の文書と記号を関連付ける方法において、Ｗｅｂｌｏｇの執筆者が記事を投稿する際に特定のＴｒａｃｋｂａｃｋ  ＵＲＬにＴｒａｃｋｂａｃｋをするステップと、上記Ｔｒａｃｋｂａｃｋで送信されたＴｒａｃｋｂａｃｋ  Ｐｉｎｇを受信するステップと、Ｔｒａｃｋｂａｃｋ  Ｐｉｎｇに含まれるデータのうち、Ｔｒａｃｋｂａｃｋ発信元の記事のＵＲＬに存在するリソースから、発信元の記事を管理するＷｅｂｌｏｇが固有に持つ記事データベース・ファイルのＵＲＬを読み出すステップと、上記記事データベース・ファイルの内容とＴｒａｃｋｂａｃｋ  Ｐｉｎｇに含まれる情報が一致するか確認するステップと、インターネット上のリソースから得られた情報を、予め登録された利用者データベースと照合し、Ｔｒａｃｋｂａｃｋ発信者を利用者データベースに登録された情報の中で特定するステップとを有する記事執筆者特定方法。
【発明の詳細な説明】
【技術分野】
【０００１】  本発明は、情報通信ネットワーク上において文書間の関連性を持たせる手法に関し、特に人手に頼らずに機械的に文書の執筆者を特定する認証処理を行うことが可能な情報処理システムに関する。
【定義】
【０００２】  本発明を説明する上で用いる用語について、以下のように定義する。
（イ）ＵＲＬとは、Ｕｎｉｆｏｒｍ  Ｒｅｓｏｕｒｃｅ  Ｌｏｃａｔｏｒの略である。インターネット上に存在する文書や画像などの情報資源の場所を指し示す記述方式であり、インターネットにおける情報の住所にあたる。情報の種類やサーバー名、ポート番号、フォルダ名、ファイル名などで構成される。
（ロ）Ｗｅｂｌｏｇとは、インターネット上で自由に記事を公開することができるサービスの総称である。一般にＷｅｂｌｏｇとは、▲１▼利用者が用意した記事をインターネット上に公開する機能と、▲２▼Ｔｒａｃｋｂａｃｋ  Ｐｉｎｇと呼ばれる情報を、記事と記事の関係付けを行う手段としてインターネットを通じて発信する機能と、▲３▼全ての記事の内容を構造化して記録した記事データベース・ファイルを作成し公開する機能を持つ。また、記事をインターネット上に公開することを、投稿する、と言う。本発明の説明において、上記に述べた一般的な定義を用いる。
（ハ）Ｔｒａｃｋｂａｃｋとは、インターネット上に公開された複数の文書を、意図的に関連付ける際に用いる手法である。例えば、文書Ａと文書Ｂを関連付ける場合、文書Ａが記録されているサーバーから、文書Ｂが記録されているサーバーに対して、文書Ａを特定する情報を、文書Ｂを特定できる手段を使って送信することで、関連付けを行う。この手段は多くのＷｅｂｌｏｇサービスが利用者の使うことができる機能として提供しており、Ｗｅｂｌｏｇのスタンダードな機能になりつつある。ｓｉｘａｐａｒｔ社が発表した技術仕様書（ｈｔｔｐ：／／ｗｗｗ．ｍｏｖａｂｌｅｔｙｐｅ．ｏｒｇ／ｄｏｃｓ／ｍｔｔｒａｃｋｂａｃｋ．ｈｔｍｌ）が事実上の標準となっており、この仕様によると、Ｔｒａｃｋｂａｃｋによる関連付けには以下の手順を踏むことになる。文書Ａと文書Ｂを関連付ける場合、文書Ａが記録されているサーバーから文書Ｂが記録されているサーバーに対して、▲１▼文書Ａのタイトル、▲２▼文書Ａの要約、▲３▼文書Ａが記録されているＵＲＬ、▲４▼文書Ａを管理しているＷｅｂｌｏｇの名前、の情報を送信する。この時、情報の送信先はＴｒａｃｋ−ｂａｃｋＵＲＬと呼ばれるＵＲＬであり、送信手段はＨＴＴＰ  ＰＯＳＴ  Ｒｅｑｕｅｓｔと呼ばれるプロトコルである。上記の情報をこのＵＲＬに対して送信することで、文書Ａと文書Ｂはお互いに関連付けが行われ、お互いの文書内にその皆の情報が追記される。図１を用いて具体的な例を挙げると、Ｕｓｅｒ（Ａ）がＷｅｂｌｏｇ（Ａ）のＡｒｔｉｃｌｅ（１）からＳｅｒｖ−ｉｃｅ（Ａ）のＳｙｍｂｏｌ（１）に対してＴｒａｃｋｂａｃｋをするとき、Ｓｅｒｖｅｒ（Ａ）からＳｅｒｖ−ｅｒ（Ｂ）のＴｒａｃｋｂａｃｋ  ＵＲＬ（１）に対してＡｒｔｉｃｌｅ（１）とＷｅｂｌｏｇ（Ａ）の情報を送信することになる。
（ニ）Ｔｒａｃｋｂａｃｋ  Ｐｉｎｇとは、Ｔｒａｃｋｂａｃｋをするときに関係するサーバー間を移動する、発信元の記事を特定する情報のことである。
（ホ）Ｔｒａｃｋｂａｃｋ  ＵＲＬとは、Ｔｒａｃｋｂａｃｋをするときに、関連付けの対象となる記事を特定する為に用いられるＵＲＬである。Ｗｅｂｌｏｇに公開された記事のひとつひとつが固有に有する。
（ヘ）Ｐｅｒｍａｌｉｎｋとは、Ｗｅｂサイトにおいて、内容を更新しても変化しないＵＲＬのことである。
【背景技術】
【０００３】  今日、インターネット上で提供されるＷｅｂｌｏｇと呼ばれるサービスを利用して、自身が書いた記事をインターネット上に公開する人が急増しており、今後、更に増加していくと予想される。Ｗｅｂｌｏｇは一般的に、記事と記事の関係性を明示的に表明する手段としてＴｒａｃｋｂａｃｋと呼ばれる機能を実装しており、異なるＷｅｂｌｏｇ利用者が公開した記事、又は、自身が書いた記事同士を執筆者の意志で相互に関連付けることができる。以下に、Ｔｒａｃｋｂａｃｋの実行過程を説明する。【０００４】  Ｗｅｂｌｏｇの執筆者が、自身の有する記事と関連付けをしたい対象記事の持つＴｒａｃｋ−ｂａｃｋ  ＵＲＬを指定すると、執筆者のＷｅｂｌｏｇが置かれたサーバーから、対象となる記事が存在するＷｅｂｌｏｇが置かれたサーバーに、Ｔｒａｃｋｂａｃｋ  Ｐｉｎｇと呼ばれる執筆者の記事を特定する情報が送信される。【０００５】  上記Ｔｒａｃｋｂａｃｋ  Ｐｉｎｇを受信したサーバーは、上記Ｔｒａｃｋｂａｃｋ  ＵＲＬと、受信した上記Ｔｒａｃｋｂａｃｋ  Ｐｉｎｇに含まれる発信元の記事を特定する情報により、Ｔｒａｃｋｂａｃｋの対象となる記事に対して上記Ｔｒａｃｋｂａｃｋ発信元の記事から関連付けがなされたことを追記する。【０００６】  また、Ｔｒａｃｋｂａｃｋ発信元サーバーは、上記Ｗｅｂｌｏｇ執筆者が書いた記事に対して、対象記事と関連付けがなされたことを追記する。以上で、Ｔｒａｃｋｂａｃｋと呼ばれる関連付けの作業が完了する。【０００７】  インターネット上のサービス・プロバイダーは、本や映画、地図上の地点といった記号に対しＴｒａｃｋｂａｃｋ  ＵＲＬを発行し、記号をキーワードにしてインターネット上に散在するＷｅｂｌｏｇの記事を集約するサービスを展開している。これらのサービスは、人が書いた記事ではなく記号がＴｒａｃｋｂａｃｋ  ＵＲＬを持つことに特徴がある。【０００８】  上記の、記号にＴｒａｃｋｂａｃｋ  ＵＲＬを持たせることを用いたサービスを利用することによりＷｅｂｌｏｇの執筆者は、自身が書いた記事の内容と関連した記事をインターネット上から探すことが容易になる。なぜなら、上記サービスは記号をキーワードにして、Ｗｅｂｌｏｇの記事と記事を繋ぐ仲介役と成り得るからである。【０００９】  以上のようにＴｒａｃｋｂａｃｋは現在、記事と記事、又は記事と記号の関係性を明示的に表明する手段として活用されている。
【発明が解決しようとする課題】
【００１０】  記号をキーワードにしてインターネット上に散在するＷｅｂｌｏｇの記事を集約する上記サービスは、情報の宝庫である。記事には関連付けをされた記号に関する個人のエピソードや考察が書かれていることが多く、上記サービスの利用者はそれらの情報を活用し、様々な記号についての見地を深めることができる。このとき、上記サービスの利用者が、気になった記事の執筆者に対し興味を抱くことは自然なことであると考えられる。
【００１１】  ところが、上記サービスは様々な記事を記号に対して分類する機能を有するが、記事の執筆者を切り口に記事を分類する機能は有しない。それは、Ｔｒａｃｋｂａｃｋを使って上記サービスが収集する情報に、記事の執筆者を特定する情報が含まれないからである。その結果、Ｔｒａｃｋｂａｃｋ  Ｐｉｎｇを受信することによって得られた、記事と記号の関係性、という情報を、執筆者という切り口で加工することが不可能になっている。
【００１２】  そこで、Ｔｒａｃｋｂａｃｋに関する一連のプロセスの中で、執筆者を特定する仕組みを当該サービスに実装することが考えられる。このような仕組みを実現できれば、上記サービス利用者は以前と変わることなく、ウェブサイトへのログイン作業などの手間をかけた認証プロセスを踏むことをせずに、記号に対しＴｒａｃｋｂａｃｋをすることのみによって、記号と自身が執筆した記事を関連付けることができる。また、当該サービスは執筆者を切り口に記事を分類することが可能になる。これにより上記サービス利用者は、興味を持った記事の執筆者が、他にどのような記号に対しＴｒａｃｋ−ｂａｃｋしているのかを、確かめることが可能になる。
【００１３】  このとき、執筆者を特定する手段として以下の方法が考えられる。上記サービス利用者に、事前に自身のＷｅｂｌｏｇに関する情報をサービスに登録してもらい、それらを当該サービスを提供するシステムに接続されたデータベースに保存しておき、Ｔｒａｃｋｂａｃｋ  Ｐｉｎｇを受信した時に、上記Ｔｒａｃｋｂａｃｋ  Ｐｉｎｇに含まれる情報と上記データベースの情報を照合し、上記Ｔｒａｃｋｂａｃｋ  Ｐｉｎｇの発信元となった記事の執筆者の確認を行う方法である。この時、上記データベースには、名前などの上記執筆者を特定する情報と、上記執筆者が公開するＷｅｂｌｏｇの名前、上記執筆者が公開するＷｅ−ｂｌｏｇのＵＲＬが含まれる。
【００１４】  しかし、上で述べたＴｒａｃｋｂａｃｋ  Ｐｉｎｇに含まれる情報に含まれるＷｅｂｌｏｇの名前と、事前に登録されたデータベースの同項目の情報を比較することにより執筆者を特定する方法では、インターネット上に同名のＷｅｂｌｏｇが存在する時、執筆者を特定できない。
【００１５】  また、上記データベースに登録されたＷｅｂｌｏｇのＵＲＬと、上記Ｔｒａｃｋｂａｃｋ  Ｐｉｎｇに含まれる情報のうち、記事のＵＲＬを比較する方法も考えられる。
【００１６】  しかし、Ｔｒａｃｋｂａｃｋ  Ｐｉｎｇ自体はインターネット上を流れる信号であるから、悪意を持った者が意図的に内容を偽ったＴｒａｃｋｂａｃｋ  Ｐｉｎｇを発信することが可能であり、この方法を用いる限り、当該サービスを提供するサーバーの受信したＴｒａｃｋｂａｃｋ  Ｐｉｎｇが、第三者によって偽造されたＴｒａｃｋｂａｃｋ  Ｐｉｎｇであるか、上記執筆者の意図で発信されたＴｒａｃｋｂａｃｋ  Ｐｉｎｇであるか判断することはできず、当該執筆者を特定することは困難である。
【００１７】  したがって、本発明の目的は、執筆者がＴｒａｃｋｂａｃｋをすることによって、当該サービスが自動的に当該記事と当該記号の関係付けを行い、更に、当該記事の執筆者を特定する認証方法及び装置を提供することにある。
【課題を解決するための手段】
【００１８】  本発明は、インターネット上に公開された特定の文書と文書、及び、特定の文書と記号を関連付ける方法において、Ｗｅｂｌｏｇの執筆者が記事を投稿する際に特定のＴｒａｃｋｂａｃｋ  ＵＲＬにＴｒａｃｋｂａｃｋをするステップと、上記Ｔｒａｃｋｂａｃｋで送信されたＴｒａｃｋ−ｂａｃｋ  Ｐｉｎｇを受信するステップと、Ｔｒａｃｋｂａｃｋ  Ｐｉｎｇに含まれるデータのうち、Ｔｒａｃｋｂａｃｋ発信元の記事のＵＲＬに存在するリソースから、発信元の記事を管理するＷｅ−ｂｌｏｇが固有に持つ記事データベース・ファイルのＵＲＬを読み出すステップと、上記記事データベース・ファイルの内容とＴｒａｃｋｂａｃｋ  Ｐｉｎｇに含まれる情報が一致するか確認するステップと、インターネット上のリソースから得られた情報を、予め登録された利用者データベースと照合し、Ｔｒａｃｋｂａｃｋ発信者を利用者データベースに登録された情報の中で特定するステップとを経ることによって、記事執筆者の特定を可能とする。
【発明の効果】
【００１９】  本発明によれば、Ｔｒａｃｋｂａｃｋを受信することのみによって、特定の記事、又は記号と関連付けられた記事の執筆者を特定できる。これは、サービス利用者がＴｒａｃｋ−ｂａｃｋと呼ばれる今日広く使われている手法をそのまま用いるままにして、サービス・プロバイダーが執筆者を特定する情報を入手できることを意味する。これにより、本発明の記事執筆者認証システムを実装したコンピューターを使ってインターネット上でサービスを運営するサービス・プロバイダーは、執筆者毎の個人ページを作り、記事、又は記号へのＴｒａｃｋｂａｃｋを受信するだけで、上記の個人ページに情報を追加していくことができる。これは、Ｗｅｂｌｏｇ執筆者に対して、また、インターネットの利用者全員に対して新たな価値を提供するものである。Ｗｅｂｌｏｇと呼ばれる近年急速に利用者数を拡大している新たなメディアは、様々な人の興味に触れることができるという楽しみを利用者に提供している。本発明を利用した上記サービスは、そうした利用者のニーズに応えることができる。
【発明実施の形態】
【００２０】  本発明の実施の形態について、以下の順序で説明する。
（イ）システムの概要
（ロ）サービスの概要
（ハ）サービス利用者の行為について
（ニ）記事執筆者認証システムの処理について
【００２１】（イ）システムの概要
図１は、本発明が適応されたシステムの概要と、提供されるサービスを同時に示すものである。図１において、Ｓｅｒｖｅｒ（Ａ）はプログラムされたコンピューターによる情報処理システムであり、情報通信ネットワーク上においてＷｅｂサーバーとして機能している。Ｓｅｒｖｅｒ（Ａ）はＷｅｂｌｏｇ（Ａ）と呼ばれるサービスを、Ｕｓｅｒ（Ａ）に対し提供している。Ｕｓｅｒ（Ａ）はＷｅｂｌｏｇ（Ａ）の利用者であり、Ｗｅｂｌｏｇ（Ａ）に記事を投稿する権限を持つ者である。また、Ｕｓｅｒ（Ａ）は自身を特定する情報としてＮａｍｅ（Ａ）を有する。Ｗｅｂｌｏｇ（Ａ）は、Ｂｌｏｇｎａｍｅ（１）という名前を有している。また、Ｗｅｂｌｏｇ（Ａ）固有の情報として、Ｗｅｂｌｏｇ（Ａ）のインターネット上の入り口となるファイルが置かれたＵＲＬを持つ。本システムでは上記ＵＲＬをＡｄｄｒｅｓｓ（２）とする。更に、Ｗｅｂｌｏｇ（Ａ）は、インターネット上に公開している記事を集約して、構造化して記録した記事データベース・ファイルを管理している。本システムでは上記記事データベース・ファイルをＤａｔａ  ｆｉｌｅ（Ａ）とする。Ｄａｔａ  ｆｉｌｅ（Ａ）にはＷｅｂｌｏｇ（Ａ）がインターネット上に公開している記事のデータの他に、Ｗｅ−ｂｌｏｇ（Ａ）の名前であるＢｌｏｇｎａｍｅ（１）と、Ｗｅｂｌｏｇ（Ａ）のＵＲＬであるＡｄｄｒｅｓｓ（２）が記録されている。Ａｒｔｉｃｌｅ（１）はＷｅｂｌｏｇ（Ａ）がインターネット上に公開する特定の記事である。Ｓｅｒｖｅｒ（Ａ）はＡｒｔｉｃｌｅ（１）をＨＴＭＬ形式でインターネット上に配信する機能を有する。このとき配信されるＨＴＭＬデータのＨｅａｄｅｒ部分には、Ｄａｔａ  ｆｉｌｅ（１）のＵＲＬが記述されている。また、インターネット上でＡｒｔｉｃｌｅ（１）にアクセスする際のＵＲＬは、Ａｄｄｒｅｓｓ（１）である。更に、Ａｒｔｉｃｌｅ（１）には、▲１▼記事のタイトル、▲２▼記事の本文が含まれる。Ｓｅｒｖｅｒ（Ｂ）はプログラムされたコンピューターによる情報処理システムであり、情報通信ネットワーク上においてＷｅｂサーバーとして機能している。記事執筆者認証システムを備えている。Ｓｅｒｖｉｃｅ（Ａ）はＳｅｒｖｅｒ（Ｂ）が提供するサービスである。Ｗｅｂｌｏｇと呼ばれるサービスと同様の機能を備えており、Ｗｅｂｌｏｇの記事に当たるコンテンツが、記号になっている。Ｓｙｍｂｏｌ（１）は、Ｓｅｒｖｉｃｅ（Ａ）がインターネット上に公開する、特定の記号を示すＨＴＭＬコンテンツである。Ｓｅｒｖｅｒ（Ｂ）は、Ｓｙｍｂｏｌ（１）をＨＴＭＬ形式でインターネット上に配信する機能を有する。また、Ｓｙｍｂｏｌ（１）は、Ｔｒａｃｋｂａｃｋを受信する為のＴｒａｃｋｂａｃｋ  ＵＲＬを有しており、ＵＲＬはＴｒａｃｋｂａｃｋ  ＵＲＬ（１）とする。Ｄａｔａｂａｓｅ（Ａ）は、Ｓｅｒｖｅｒ（Ｂ）と接続された利用者情報データベースであり、▲１▼名前などのサービス利用者を特定する情報と、▲２▼サービス利用者が執筆しているＷｅｂｌｏｇのＵＲＬ、を構造化して記録している。
【００２２】（ロ）サービスの概要
本サービスは、サービス利用者が自身のＷｅｂｌｏｇから本サービスの記号に対しＴｒａｃｋｂａｃｋをするだけで、上記サービス利用者を特定することができる、執筆者認証システムを有している。
これによって当該サービスは、Ｔｒａｃｋｂａｃｋ  Ｐｉｎｇによって得られた情報と、Ｔｒａｃｋｂａｃｋの送信先となって記号を特定する情報と、サービス利用者を特定する情報とを使い、様々な切り口で情報の再加工を行い、サービス利用者のニーズに応える価値の高い情報を提供することが可能である。
【００２３】（ハ）サービス利用者の行為について
Ｗｅｂｌｏｇ執筆者は事前に、▲１▼名前などの自身を特定する情報と、▲２▼自身が執筆するＷｅｂｌｏｇのＵＲＬを当該サービスに登録しておく必要がある。この登録情報は、利用者データベースＤａｔａｂａｓｅ（Ａ）に保存される。
【００２４】  Ｕｓｅｒ（Ａ）は自身を特定する情報としてＮａｍｅ（Ａ）を、自身の執筆するＷｅｂｌｏｇ（Ａ）のＵＲＬとしてＡｄｄｒｅｓｓ（２）を当該サービスに登録する。
【００２５】  次に、Ｕｓｅｒ（Ａ）が、自身の書いた記事Ａｒｔｉｃｌｅ（１）をＳｙｍｂｏｌ（１）で示される記号と関連付ける際のプロセスを、時系列に沿って以下で説明する。
【００２６】  Ｕｓｅｒ（Ａ）はまず、Ｓｙｍｂｏｌ（１）が有するＴｒａｃｋｂａｃｋ  ＵＲＬ（１）を記録する。Ｔｒａｃｋ−ｂａｃｋ  ＵＲＬ（１）はＳｙｍｂｏｌ（１）に書かれている。
【００２７】  次に、Ｕｓｅｒ（Ａ）はＷｅｂｌｏｇ  （Ａ）にＡｒｔｉｃｌｅ（１）を投稿する。この時、Ｔｒａｃｋ−ｂａｃｋ  ＵＲＬ（１）を指定する。
【００２８】  Ｔｒａｃｋｂａｃｋ  ＵＲＬ（１）の指定を受け、Ｓｅｒｖｅｒ（Ａ）はＳｅｒｖｅｒ（Ｂ）のＴｒａｃｋｂａｃｋ  ＵＲＬ（１）に対してＴｒａｃｋｂａｃｋ  Ｐｉｎｇを送信する。上記Ｔｒａｃｋｂａｃｋ  Ｐｉｎｇは、Ａｒｔｉ−ｃｌｅ（１）のタイトルと、Ａｒｔｉｃｌｅ（１）の要約と、Ａｄｄｒｅｓｓ（１）と、Ｂｌｏｇｎａｍｅ（１）を有している。
【００２９】（ニ）記事執筆者認証システムの処理について
上記Ｔｒａｃｋｂａｃｋ  Ｐｉｎｇで得られた情報と、インターネット上のリソースと、事前に登録された利用者データベースＤａｔａｂａｓｅ（Ａ）を用いて、上記Ｔｒａｃｋｂａｃｋ  Ｐｉｎｇを発信したサービス利用者を特定する際の処理について、時系列に沿って以下に説明する。
【００３０】  上記Ｔｒａｃｋｂａｃｋ  Ｐｉｎｇを受信したＳｅｒｖｅｒ（Ｂ）は、上記Ｔｒａｃｋｂａｃｋ  Ｐｉｎｇに含まれる情報であるＡｄｄｒｅｓｓ（１）を読み出す。次に、インターネット上のＡｄｄｒｅｓｓ（１）より、ＨＴＭＬ形式のデータをダウンロードする。
【００３１】  Ｓｅｒｖｅｒ（Ｂ）は、上記でダウンロードしたＨＴＭＬデータから、ＨＴＭＬデータのＨｅａｄ−ｅｒ部分に記述されている、記事データベース・ファイルＤａｔａ  ｆｉｌｅ（Ａ）のＵＲＬを読み出す。Ｄａｔａ  ｆｉｌｅ（Ａ）には、Ｗｅｂｌｏｇ（Ａ）に投稿された記事が構造化された状態で記録されている。
【００３２】  Ｓｅｒｖｅｒ（Ｂ）は、Ｄａｔａ  ｆｉｌｅ（Ａ）をダウンロードし、Ｄａｔａ  ｆｉｌｅ（Ａ）に、上記Ｔｒａｃｋ−ｂａｃｋ  Ｐｉｎｇで受け取ったＡｒｔｉｃｌｅ（１）のタイトルと要約、Ａｄｄｒｅｓｓ（１）の情報が記載されているかを確認する。記載されていない場合、上記で受信した上記Ｔｒａｃｋ−ｂａｃｋ  Ｐｉｎｇは記事執筆者ではない第三者が発信したものであることになるので、処理をここで中断する。記載されている場合、Ｗｅｂｌｏｇ（Ａ）のＵＲＬをＤａｔａ  ｆｉｌｅ（Ａ）から読み出す。
【００３３】  上記で読み出したＷｅｂｌｏｇ（Ａ）のＵＲＬを、Ｄａｔａｂａｓｅ（Ａ）が記録している、利用者のＷｅｂｌｏｇのＵＲＬ、の項目と照合し、ユーザーを特定する情報を読み出す。
【００３４】  以上で執筆者を特定するプロセスは完了である。また、上記で読み出される情報は、Ｎａｍｅ（１）である。
【００３５】  本願発明では、００３１において記事固有のＨＴＭＬコンテンツから記事データベース・ファイルのＵＲＬを読み出し、００３２において記事データベース・ファイルと上記Ｔｒａｃｋｂａｃｋ  Ｐｉｎｇに含まれる情報の比較を行っている。比較に用いる内容は、記事固有のＨＴＭＬコンテンツと記事データベース・ファイルで同じであるが、記事データベース・ファイルはデータが構造化されて記録されている為、比較時に必要な演算が非常に少なくて済む。本願発明でこうしたプロセスを選択しているのは、コンピューターの処理速度への配慮である。
【図面の簡単な説明】
【００３６】
【図１】本願発明の実施の形態に関わる全体的なネットワーク構成、システム構成、コンテンツの構成を示す図である。
【図２】個人認証システムの動作を示すフローチャートである。
【符号の説明】
【００３７】Ｓｅｒｖｅｒ（Ａ）：プログラムされたコンピューターによる情報処理システムであり、情報通信ネットワーク上においてＷｅｂサーバーとして機能している。
Ｓｅｒｖｅｒ（Ｂ）：プログラムされたコンピューターによる情報処理システムであり、情報通信ネットワーク上においてＷｅｂサーバーとして機能している。
Ｄａｔａｂａｓｅ（Ａ）：データベースである。
【図１】
2006040239.tif 000003
【図２】
2006040239.tif 000004